(57)【特許請求の範囲】
【請求項１】
方形枠状をした外枠（Ｆ1)と、該外枠（Ｆ1)の前側に片開き可能にヒンジ連結された前枠（Ｆ2)と、該前枠（Ｆ2)の前側に片開き可能にヒンジ連結されたガラス枠（Ｆ3)とを備えた遊技機において、
前記外枠（Ｆ1)の反ヒンジ連結側の縦枠材（６）の内側の上部及び下部に固定されたロック片（７）に対して係脱可能に施錠すべく、前記前枠（Ｆ2)の反ヒンジ連結側の開放縁後側に固定された取付板（１１）に対して上下動可能に取付けられて、第１引張スプリング（１７）により常時上向きの係合方向に付勢保持されていて、解錠操作により下向きの解錠方向に移動し得る第１錠板（１２）と、該第１錠板（１２）の上部及び下部にそれぞれ後向きに一体となって突設され、前記第１錠板（１２）の上向き及び下向きの各移動により前記ロック片（７）に対する係合姿勢位置と非係合姿勢位置とにそれぞれ変位し得る第１鉤片（１８）とを有する第１錠装置（Ｌ1)と、
前記ガラス枠（Ｆ3)の反ヒンジ連結側の開放縁後側に上下方向に沿って所定間隔をおいて後向きに突設され、前記取付板（１１）に形成された各第１挿通孔（３５）に挿通されて前記取付板（１１）の後方に突出し得る複数の第２鉤片（３４）に対して係脱可能に係合すべく、前記取付板（１１）に上下動可能に取付けられて、前記前枠（Ｆ2)に対して前記ガラス枠（Ｆ3)が閉じられて、前記複数の第２鉤片（３４）と同一間隔をおいて形成された同数の第２挿通孔（３６）に各第２鉤片（３４）が挿通係合された状態を維持すべく第２引張スプリング（３８）により常時下向きに付勢保持された状態において、解錠操作により上向きの解錠方向に移動させることにより、前記第２鉤片（３４）と前記第２挿通孔（３６）との係合が解除されて解錠される構成の第２錠板（３１）を有する第２錠装置（Ｌ2)と、を備えた錠装置であって、
前記第１錠装置（Ｌ1)を構成する第１錠板（１２）の上端部に、複数の前記第２鉤片（３４）のうち最も上方に配置された第２鉤片（３４）の上端部に係脱可能に係合し得る係合解除制止片（２２）が一体に形成されて、前記前枠（Ｆ2)に対して閉じられた前記ガラス枠（Ｆ3)の各第２鉤片（３４）が前記第２錠板（３１）の各第２挿通孔（３６）にそれぞれ挿通係合された施錠状態で、前記係合解除制止片（２２）は、最も上方の第１鉤片（１８）の上端部に係合し得る位置に配置され、
前記外枠（Ｆ1)に対して前記前枠（Ｆ2)が閉じられると共に、該前枠（Ｆ2)に対してガラス枠（Ｆ3)が閉じられた各施錠状態で、前記ロック片（７）に係合されている前記第１鉤片（１８）が、外枠（Ｆ1)から内部に不正に挿入されたワイヤー（Ｗ）により引き下げられて不正に解錠されようとした場合に、前記第１錠板（１２）の係合解除制止片（２２）が、前記第２錠装置（Ｌ2)の第２鉤片（３４）の上端部に係合して前記第１錠板（１２）及び第１鉤片（１８）の解錠方向への移動を阻止し得るように構成したことを特徴とする遊技機の錠装置。
【発明の詳細な説明】
【０００１】
【発明の属する技術分野】
本発明は、外枠と、隣の遊技機のサンドと称される球貸出装置との間の隙間等の遊技機の周りにできた隙間からピアノ線等のワイヤーを挿入して、外枠と前枠とを施錠している錠装置を解錠して、前枠が不正に開かれるのを防止するための遊技機の錠装置に関するものである。
【０００２】
【従来の技術】
遊技機の外周を覆う外枠に対して、該外枠に片開き可能にヒンジ連結された前枠が開かれるのを防止する錠装置として、前記前枠の開放側の端縁に、その前面に略直交した状態で上下動又は回動可能に錠板部材が設けられ、前記外枠に設けられたロック部材が、前記錠板部材に設けられた鉤部材に対して解除可能に係合して、該解除により前記前枠が開放可能となる構成のものが知られている。
【０００３】
図１１は、上記構成の従来の錠装置の上端部の側面図である。この従来の錠装置では、第１錠板４１の上下端部には、それぞれ第１鉤片４２が一体となって設けられていた。よって、外枠Ｆ1 と、隣の遊技機の球貸出装置との間の隙間からピアノ線等の剛性を有するワイヤーＷを挿入して、該ワイヤーＷの先端の引掛け部Ｗａを、上方の第１鉤片４２の係合部４２ａに引っ掛けて、前記ワイヤーＷを下方又は斜下方に向けて引っ張ると、図１１で実線で示されるように、上下端部に一対の第１鉤片４２が一体に形成されている第１錠板４１は、下方にスライドして、外枠Ｆ1 に設けられたロック片４３と前記第１鉤片４２との係合が解除されて、錠装置が不正に解錠される。
【０００４】
これにより、外枠Ｆ1 に対して前枠Ｆ2 が開かれて、該前枠Ｆ2 に装着された遊技盤の背面側の制御基板ボックスを別のものに取り変えたり、配線に不正基板を接続したりする不正行為（当業界では「ゴト行為」と俗称されている）が実行される。
【０００５】
しかし、従来のパチンコ機では、外枠と隣のパチンコ機の球貸出装置との間、或いは外枠と前枠との間の隙間を、全周に亘って完全に無くすことは難しく、隙間を無くす方法により、前枠の不正開放を十分に防止することは、事実上困難であった。なお、図１１において、Ｆ3 は、前枠Ｆ2 に対して片開き可能に取付けられたガラス枠であり、４４は、前枠Ｆ2 に第１錠板４１を取付けている断面Ｌ字状をした取付板であり、４５は、ガラス枠Ｆ3 の開放端側の裏面に取付けられた第２鉤片を示す。
【０００６】
【発明が解決しようとする課題】
本発明の課題は、外枠に対して前枠を施錠する錠装置において、不正操作により前記錠装置が解錠されて、前枠が不正開放されるのを簡単な構造により防止することである。
【０００７】
【課題を解決するための手段】
上記の課題を解決するために請求項１に記載の発明は、方形枠状をした外枠と、該外枠の前側に片開き可能にヒンジ連結された前枠と、該前枠の前側に片開き可能にヒンジ連結されたガラス枠とを備えた遊技機において、前記外枠の反ヒンジ連結側の縦枠材の内側の上部及び下部に固定されたロック片に対して係脱可能に施錠すべく、前記前枠の反ヒンジ連結側の開放縁後側に固定された取付板に対して上下動可能に取付けられて、第１引張スプリングにより常時上向きの係合方向に付勢保持されていて、解錠操作により下向きの解錠方向に移動し得る第１錠板と、該第１錠板の上部及び下部にそれぞれ後向きに一体となって突設され、前記第１錠板の上向き及び下向きの各移動により前記ロック片に対する係合姿勢位置と非係合姿勢位置とにそれぞれ変位し得る第１鉤片とを有する第１錠装置と、前記ガラス枠の反ヒンジ連結側の開放縁後側に上下方向に沿って所定間隔をおいて後向きに突設され、前記取付板に形成された各第１挿通孔に挿通されて前記取付板の後方に突出し得る複数の第２鉤片に対して係脱可能に係合すべく、前記取付板に上下動可能に取付けられて、前記前枠に対して前記ガラス枠が閉じられて、前記複数の第２鉤片と同一間隔をおいて形成された同数の第２挿通孔に各第２鉤片が挿通係合された状態を維持すべく第２引張スプリングにより常時下向きに付勢保持された状態において、解錠操作により上向きの解錠方向に移動させることにより、前記第２鉤片と前記第２挿通孔との係合が解除されて解錠される構成の第２錠板を有する第２錠装置とを備えた錠装置であって、前記第１錠装置を構成する第１錠板の上端部に、複数の前記第２鉤片のうち最も上方に配置された第２鉤片の上端部に係脱可能に係合し得る係合解除制止片が一体に形成されて、前記前枠に対して閉じられた前記ガラス枠の各第２鉤片が前記第２錠板の各第２挿通孔にそれぞれ挿通係合された施錠状態で、前記係合解除制止片は、最も上方の第１鉤片の上端部に係合し得る位置に配置され、前記外枠に対して前記前枠が閉じられると共に、該前枠に対してガラス枠が閉じられた各施錠状態で、前記ロック片に係合されている前記第１鉤片が、外枠から内部に不正に挿入されたワイヤーにより引き下げられて不正に解錠されようとした場合に、前記第１錠板の係合解除制止片が、前記第２錠装置の第２鉤片の上端部に係合して前記第１錠板及び第１鉤片の解錠方向への移動を阻止し得るように構成したことを特徴としている。
【０００８】
請求項１の発明によれば、まず開放状態の前枠を外枠に対して閉じる場合には、第１錠装置を構成する上下の各第１鉤片の上端面が対向するロック片の下縁に対して摺動することにより、第１引張スプリングの付勢力に抗して第１錠板の解錠方向への下動を伴いながら外枠に対して前枠が接近して、第１鉤片とロック片とが係合されることにより、第１引張スプリングの付勢力により第１錠板、及び第１鉤片はいずれも本来の施錠位置に復帰して施錠保持される。なお、この施錠状態において、第１錠板の上端の係合解除制止片は、第２錠装置を構成する第２鉤片と干渉（係合衝突）しない位置にある。
また、前述した前枠施錠状態において、開放状態のガラス枠を前枠に対して閉じると、第２錠装置を構成する複数の第２鉤片が第２錠板の各第２挿通孔にそれぞれ挿通されて、第２鉤片の上端部が前記第２挿通孔の上端と係合して、外枠に対して閉じられて施錠された前枠に対してガラス枠が閉じられて施錠される。なお、このガラス枠施錠状態において、第２錠板の後方に突出した第２鉤片の先端部は、前記第１錠装置を構成する係合解除制止片の下側を非干渉（非係合）状態で進入して、施錠状態では、第２鉤片の先端部は前記係合解除制止片の直下に配置される。
【０００９】
一方、前記前枠の開放にあたっては、適正な鍵を利用した解錠操作により、第１錠板とともに第１鉤片を解錠位置に下降しようとしても、第１錠板の係合解除制止片が、その下方に位置する前記第２錠装置の第２鉤片と係合して下降できない。このため、前記ガラス枠を先に開放するとして、適正な鍵を利用した解錠操作により第２錠板を解錠位置に上動させることにより、第２挿通孔が第２鉤片の上位置に変移した時点で第２錠板と第２鉤片との係合が解除されて解錠されるので、前枠に対してガラス枠を前側に引出すように開放することができる。なお、ガラス枠の開放状態では、前記第１錠板の係合解除制止片の直下には第２鉤片が存在しなくなるので、第１錠板の下動を許容された状態にある。
そして、前述したガラス枠開放以後において、適正な鍵を利用した解錠操作により、第１錠板を解錠位置に下降させることにより、該第１錠板とともに第１鉤片が下降されて前記ロック片から離隔する下方へ変移されて解錠されるので、外枠に対して前枠を前側に引出すように開放することができる。なお、この解錠操作において、前記係合解除制止片は、当然ながら前記第２錠装置の第２鉤片と干渉することはなく、第１錠板とともに下降される。
【００１０】
前述のように前枠・ガラス枠の施錠及び解錠をなし得る請求項１の発明では、前枠及びガラス枠がそれぞれ外枠及び前枠に対して閉じられて施錠された状態において、不正解錠操作として外枠の裏側内部に進入させたピアノ線等のワイヤーを前記第１鉤片に引っ掛けて該第１鉤片を前記ロック片から離脱する下向きの解錠方向へ変移させようとした場合、前記第１錠板の係合解除制止片が前記第２鉤片の上端部に係合して第１錠板及び第１鉤片の下降を阻止するため、第１鉤片がロック片から係合離脱不能とされ、前記ワイヤーを悪用した不正解錠が未然に防止される。
【００１１】
【００１２】
【００１３】
【発明の実施の形態】
以下、実施形態を挙げて、本発明を更に詳細に説明する。図１は、ガラス枠Ｆ3 を閉じたままで前枠Ｆ2 が開かれた状態の斜視図であり、図２は、前枠Ｆ2 とガラス枠Ｆ3 との双方を開いた状態の概略斜視図であり、図３は、パチンコ機の錠装置Ｌの部分の側面図であり、図４は、前枠Ｆ2 の不正開放ができない状態の錠装置Ｌの上端部の斜視図であり、図５は、ガラス枠Ｆ3 が開放されて、第１錠装置Ｌ1 が解錠された状態の錠装置Ｌの上端部の斜視図であり、図６は、同様の状態の錠装置Ｌの下端部の斜視図であり、図７は、第２錠装置Ｌ2 が解錠された状態の錠装置Ｌの下端部の斜視図である。なお、図２において、前枠Ｆ2 は、本発明に係る錠装置Ｌを描くに止め、裏面に配される遊技盤装着枠、遊技盤、機構枠、その他の装置の図示は略してある。
【００１４】
図１及び図２において、方形枠状をした外枠Ｆ1 の左端部の上下端には、それぞれヒンジ連結板１が設けられていて、遊技盤（図示せず）が装着される前枠Ｆ2 は、前記外枠Ｆ1 の各ヒンジ連結板１にヒンジピン２を介して片開き可能にヒンジ連結されている。また、前枠Ｆ2 の前面には、該前枠Ｆ2 に装着された遊技盤の遊技領域のみが遊技者から目視可能にするためにガラス枠Ｆ3 が、更に前枠Ｆ2 の前方下方に、遊技球を貯留可能な上皿４を備えた上皿ユニットＦ4 が、それぞれ同様に片開き可能なようにヒンジ連結されている。ガラス枠Ｆ3 は、その背面の遊技盤を透視可能にするために、その中央部に略円形の開口３（図１参照）が設けられている。そして、図１に示されるように前枠Ｆ2 の前面における開放端側であって、しかも上皿４と略同一高さの位置に、後述の第１及び第２の各錠装置Ｌ1,Ｌ2 を個別に解錠するためのシリンダ錠から成る解錠ユニット５が、その鍵挿入孔が前面に露出した状態で設けられている。
【００１５】
次に、図３ないし図７を参照して、第１及び第２の各錠装置Ｌ1,Ｌ2 から成る錠装置Ｌについて説明する。第１錠装置Ｌ1 は、外枠Ｆ1 に対して前枠Ｆ2 を施錠するためのものであり、第２錠装置Ｌ2 は、前枠Ｆ2 に対してガラス枠Ｆ3 を施錠するものである。図２に示されるように、錠装置Ｌを構成する第１及び第２の各錠板１２，３１は、前枠Ｆ2 の開放端側（ヒンジ連結側と反対の側）の端部の裏面部に上下方向に沿って装着されている。即ち、前枠Ｆ2 の前記裏面部には、断面Ｌ形をした取付板１１が上下方向に沿って固定され、該取付板１１の前記裏面部に密着固定された固定板部１１ａには、第２錠装置Ｌ2 を構成する後述の第２錠板３１が上下動可能に支持されていると共に、前記取付板１１の第１起立板部１１ｂの内側面（ロック片７が固定された外枠Ｆ1 の縦枠材６と対向する面）には、第１錠装置Ｌ1 の第１錠板１２が同じく上下動可能に支持されている。前記第１錠板１２は、前枠Ｆ2 に装着される遊技盤の盤面（遊技面）を基準にすると、該盤面に対して略垂直に配置されている。
【００１６】
また、図４及び図５に示されるように、第１錠板１２には、その上下端部を含む計３箇所に上下方向のスリット状のガイド孔１３が形成されて、前記取付板１１の第１起立板部１１ｂに設けられた各頭付ガイドピン１４が前記各ガイド孔１３に嵌合されることにより、第１錠板１２は、記取付板１１の第１起立板部１１ｂに対して上下動可能に支持されている。また、第１錠板１２における上端のガイド孔１３の下方の部分は切り起こされてフック片１５を形成していると共に、取付板１１の固定板部１１ａにおける上昇端位置の前記フック片１５よりも更に上方の部分は切り起こされてフック片１６を形成していて、第１引張スプリング１７の両端部が前記各フック片１５，１６に引っ掛けられている。よって、第１錠板１２は、第１引張スプリング１７の復元力により上方に付勢されているが、前記ガイド孔１３の下端部が前記頭付ガイドピン１４に当接することにより、第１錠板１２の上昇端位置が定められている。
【００１７】
また、第１錠板１２における上下の各ガイド孔１３が設けられている部分には、それぞれ第１鉤片１８が背面側に向けてほぼ水平となって一体に設けられている。この上下一対の第１鉤片１８は、前枠Ｆ2 を閉じる際に、外枠Ｆ1 の縦枠材６の対応部分に固定されたロック片７と係合して、外枠Ｆ1 に対して前枠Ｆ2 を施錠する部分である。前記ロック片７は、その基端部に固定板８（図２参照）が一体となって略Ｌ字状に折り曲げられて形成され、図２に示されるように、前記固定板８を介して外枠Ｆ1 の縦枠材６の内側面に垂直となって固定されている。前記第１鉤片１８の自由端部には、その自由端となる部分から基端に向けて上り勾配となる傾斜摺動面１９が形成されていると共に、該傾斜摺動面１９の内側（基端側）には、外枠Ｆ1 に固定された前記ロック片７に対して係合可能な係合溝２１が形成されている。
【００１８】
また、第１及び第２の各錠装置Ｌ1,Ｌ2 の各施錠状態において、３個の第２鉤片３４のうち最上方の第２鉤片３４は、上下一対の第１鉤片１８のうち上方の第１鉤片１８よりも更に上方に配置されている。そして、第１錠板１２の上端縁は、第１及び第２の各錠装置Ｌ1,Ｌ2 の施錠状態において、後述する第２鉤片３４の上端よりも僅かに上方に達していて、前記第１錠板１２の上端部は、外枠Ｆ1 の縦枠材６の側に向けて略直角に折り曲げられて、前記第２鉤片３４の直上方に配置される係合解除制止片２２を形成している。即ち、第１錠板１２の上端部には、上方延出部２３を介して前記係合解除制止片２２が形成されていて、前記上方延出部２３は、第２鉤片３４の側方において、これと接触することなく配置されて、前記係合解除制止片２２が前記第２鉤片３４と同じく接触することなく、その上方に配置されている。
【００１９】
よって、図４に示されるように、前枠Ｆ2 に装着された第１錠板１２の第１鉤片１８の係合溝２１に、外枠Ｆ1 の縦枠材６の内側面に固定されたロック片７が挿入されて、両者が係合することにより第１錠装置Ｌ1 は施錠される。また、図５及び図９に示されるように、前枠Ｆ2 に対してガラス枠Ｆ3 を開放した状態において、前記解錠ユニット５に鍵を挿入して時計方向に回動させると、第１引張スプリング１７の復元力に抗して第１錠板１２が下動して、第１鉤片１８の係合溝２１からロック片７が相対的に脱出して、両者が係合解除されることにより、第１錠装置Ｌ1 が解錠される。これにより、外枠Ｆ1 に対して前枠Ｆ2 が開かれる。
【００２０】
更に、開放状態の前枠Ｆ2 を外枠Ｆ1 に対して閉じて施錠するには、前枠Ｆ2 に対してガラス枠Ｆ3 を開放しておいて、前枠Ｆ2 を閉じると、第１鉤片１８の傾斜摺動面１９がロック片７の下端面に当接することにより、第１引張スプリング１７の復元力に抗して、第１錠板１２が徐々に下動して、前記傾斜摺動面１９の基端側の形成端が前記ロック片７を通過した瞬間に、前記第１引張スプリング１７の復元力により第１錠板１２が上動して、第１鉤片１８の係合溝２１にロック片７が挿入されて、両者が係合されて施錠される。
【００２１】
次に、前枠Ｆ2 に対してガラス枠Ｆ3 を施錠する第２錠装置Ｌ2 について説明する。図３ないし図５に示されるように、前枠Ｆ2 の開放端側の端部に上下方向に沿って装着された取付板１１の固定板部１１ａには第２錠板３１が、第１起立板部１１ｂに対する前記第１錠板１２の支持構造と同一支持構造（複数のガイド孔３２と頭付ガイドピン３３との係合構造）によって上下動可能に支持されている。また、ガラス枠Ｆ3 の開放端側の端部の裏面には、上下方向に沿って所定間隔をおいて複数個（通常は３個）の第２鉤片３４が突設されている。第２錠装置Ｌ2 は、前枠Ｆ2 の前記部分に装着された第２錠板３１と、ガラス枠Ｆ3 の前記部分に装着されて、前記第２錠板３１に対して解除可能に係合される複数の前記第２鉤片３４とにより構成される。
【００２２】
一方、図４及び図５に一部が図示されているように、取付板１１の固定板部１１ａ及び第２錠板３１におけるガラス枠Ｆ3 の各第２鉤片３４の位置と対応する位置には、それぞれ第２鉤片３４を挿通させる第１及び第２の各挿通孔３５，３６がそれぞれ形成されている。第１挿通孔３５の上下方向の長さは、第２挿通孔３６のそれよりも僅かに大きくなっていて、第１及び第２の各挿通孔３５，３６の下端がほぼ合致した状態で、各挿通孔３５，３６に第２鉤片３４が挿通された状態では、該第２鉤片３４の上端に形成された係合部３４ａが、第２錠板３１に形成された第２挿通孔３６の上端と係合して、施錠される構成になっている。
【００２３】
この施錠状態において、解錠ユニット５に挿入した鍵を、前枠Ｆ2 の解錠時と逆方向（反時計方向）に回動させると、第２錠板３１と第２鉤片３４との前記係合が解除されて、解錠される構成になっている（図８参照）。また、第２錠板３１は、該第２錠板３１と取付板１１の固定板部１１ａとに両端が連結された第２引張スプリング３８（図３参照）の復元力により下方に付勢されているので、第２鉤片３４の上端の係合部３４ａと、第２錠板３１の第２挿通孔３６の上端との係合状態が保持されて、施錠される。
【００２４】
また、図３、図６及び図７に示されるように、前記取付板１１の下端部には、前記第１起立板部１１ｂと逆の側を部分的に起立させた第２起立板部１１ｃが起立形成されていて、前記第２起立板部１１ｃに形成された開口２５に第１及び第２の各錠板１２，３１の一部が当接端部１２a,３１a となって入り込んでいると共に、前記解錠ユニット５の操作により回動する回動係合片９の二つの各爪部９a,９b が侵入している。よって、解錠ユニット５の鍵孔に挿入した鍵を時計方向に回動させると、図６に示されるように、前記開口２５内において、回動係合片９の一方の爪部９ａが、第１錠板１２の当接端部１２ａに当接して、前記第１錠板１２が下動されて、第１錠装置Ｌ1 が解錠される。一方、解錠ユニット５の鍵孔に挿入した鍵を反時計方向に回動させると、図７に示されるように、回動係合片９の他方の爪部９ｂが、第２錠板３１の当接端部３１ａに当接して、前記第２錠板３１が上動されて、第２錠装置Ｌ2 が解錠される。なお、図３は、第１及び第２の各錠装置Ｌ1,Ｌ2 の双方が施錠されている状態を示す。
【００２５】
第１及び第２の各錠装置Ｌ1,Ｌ2 の施錠及び正規の解錠の作用は上記した通りである。ここで、図１０に示されるように、パチンコ機の外枠Ｆ1 と、隣のパチンコ機の球貸出装置との間の隙間からピアノ線等の比較的剛性の高いワイヤーＷを挿入して、その先端の引掛け部Ｗａを第１錠装置Ｌ1 の第１鉤片１８の係合溝２１に挿入して引っ掛けた状態で、前記ワイヤーＷを奥方に向いた斜下方に引っ張って、第１鉤片１８とロック片７との係合を解除して、前枠Ｆ2 を不正開放しようとしても、以下の理由により、これを確実に阻止できる。
【００２６】
即ち、第２錠装置Ｌ2 を構成する第２鉤片３４は、前枠Ｆ2 に形成された第１挿通孔３５及び外枠Ｆ1 に固定した取付板１１に形成された第２挿通孔３６にそれぞれに挿通されて、外枠Ｆ1 の内部に入り込んで、該第２鉤片３４の直上には、第１錠板１２に一体に形成された係合解除制止片２２がほぼ水平となって配置されている。このため、前枠Ｆ2 を不正開放するために、第１錠装置Ｌ1 の不正解錠が試みられても、第１錠板１２は、これに一体に形成された係合解除制止片２２が前記第２鉤片３４の上端面に当接して、下動しない。この結果、第１錠装置Ｌ1 は解錠できなくて、前枠Ｆ2 の不正開放を確実に防止できる。換言すれば、ガラス枠Ｆ3 も同時に不正開放しない限り、前枠Ｆ2 は開放できないので、結果として、既存の第１錠板１２の上端部の形状を僅かに変更するという極めて簡単な構造によって、前枠Ｆ2 の不正開放を確実に防止できる。
【００２７】
また、第１錠板１２の上端部、及びこれに一体に形成された前記係合解除制止片２２は、それぞれ第２鉤片３４の側方及び上方においてこれと非接触状態で配置されているために、第１及び第２の各錠装置Ｌ1,Ｌ2 の施錠操作及び正規の解錠操作を行う場合において、これらの操作を円滑に行える。
【００２８】
また、上記実施形態では、第１及び第２の各錠装置Ｌ1,Ｌ2 の各施錠状態において、３個の第２鉤片３４のうち最上方の第２鉤片３４は、上下一対の第１鉤片１８のうち、最も上方の第１鉤片１８よりも更に上方に配置されているために、従来構造の第１錠板１２の上端部を更に上方に延出させて上方延出部２３を設け、該上方延出部２３の先端に、最上方の第２鉤片３４の上方に配置されるように係合解除制止片２２を設けた構成である。しかし、本発明においは、前枠Ｆ2 の不正開放時において、即ち、第１錠装置Ｌ1 の不正解錠時において、これを構成する第１錠板１２が下方にスライドするのを防止できればよいので、前記第１錠板１２における中間、或いは最も下方の第１鉤片１８の僅かに上方に係合解除制止片２２を一体に取付けておいても、前枠Ｆ2 の不正開放を防止できる。
【００２９】
また、係合解除制止片２２は、第１錠板１２に一体に形成される必要はなく、不正器具により位置変位されない限り、ねじ止め、その他の手段によって、別体の係合解除制止片２２を第１錠板１２に取付けることも可能である。
【００３０】
更に、上記実施形態では、第１及び第２の各錠板１２，３１は、錠装置Ｌの施錠及び解錠時において、直線移動（スライド）する構成であるが、本発明は、これらが回動することにより、施錠及び解錠される構成の錠装置に対しても適用可能である。
【００３１】
【発明の効果】
本発明によれば、前枠及びガラス枠がそれぞれ外枠及び前枠に対して閉じられて施錠された状態において、不正解錠操作として外枠の裏側内部に進入させたピアノ線等のワイヤーを前記第１鉤片に引っ掛けて該第１鉤片を外枠のロック片から離脱する下向きの解錠方向へ変移させようとした場合、前記第１錠板の係合解除制止片が前記第２鉤片の上端部に係合して第１錠板及び第１鉤片の下降を阻止するため、第１鉤片がロック片から係合離脱不能とされ、前記ワイヤーを悪用した不正解錠が未然に防止される。
【図面の簡単な説明】
【図１】  ガラス枠Ｆ3 を閉じたままで前枠Ｆ2 が開かれた状態の斜視図である。
【図２】  前枠Ｆ2 とガラス枠Ｆ3 との双方を開いた状態の概略斜視図である。
【図３】  パチンコ機の錠装置Ｌの部分の側面図である。
【図４】  前枠Ｆ2 の不正開放ができない状態の錠装置Ｌの上端部の斜視図である。
【図５】  ガラス枠Ｆ3 が開放されて、第１錠装置Ｌ1 が解錠された状態の錠装置Ｌの上端部の斜視図である。
【図６】  同様の状態の錠装置Ｌの下端部の斜視図である。
【図７】  第２錠装置Ｌ2 が解錠された状態の錠装置Ｌの下端部の斜視図である。
【図８】  ガラス枠Ｆ3 が開放されて、外枠Ｆ1 に対して前枠Ｆ2 が閉じられた状態の模式的側面図である。
【図９】  外枠Ｆ1 に対して前枠Ｆ2 が、前枠Ｆ2 に対してガラス枠Ｆ3 がそれぞれ開放された状態を示す模式的側面図である。
【図１０】  不正操作により第１錠装置Ｌ1 の解錠が防止される状態を示す側面図である。
【図１１】  従来の錠装置が不正に解錠されて、前枠Ｆ2 が不正開放される状態を示す側面図である。
【符号の説明】
Ｆ1 ：外枠
Ｆ2 ：前枠
Ｆ3 ：ガラス枠
Ｌ：錠装置
Ｌ1 ：第１錠装置
Ｌ2 ：第２錠装置
７：ロック片
１１：取付板
１２：第１錠板
１７：第１引張スプリング
１８：第１鉤片
２２：係合解除制止片
３１：第２錠板
３４：第２鉤片
３６：第２挿通孔（挿通孔）
３８：第２引張スプリング
【図１】
0004062491.tif 000002
【図２】
0004062491.tif 000003
【図３】
0004062491.tif 000004
【図４】
0004062491.tif 000005
【図５】
0004062491.tif 000006
【図６】
0004062491.tif 000007
【図７】
0004062491.tif 000008
【図８】
0004062491.tif 000009
【図９】
0004062491.tif 000010
【図１０】
0004062491.tif 000011
【図１１】
0004062491.tif 000012